(57)【要約】【課題】ＬＰＨを構成する発光素子の部分的な光量調整を可能とし、画質の向上を図ること。【解決手段】主走査方向に配列された複数の発光素子からなる光源部、発光素子からの照射光を集光させて露光面上に結像させる複数の結合レンズからなる光学部、複数の発光素子の光量を補正する基本補正テーブルと、結合レンズ固有の光学特性を補正するための補正対象データと、を保存する記憶部３１、を有するＬＰＨ３と、ＬＰＨ３の記憶部３１から基本補正テーブル及び補正対象データを読み出し、補正対象データに基づいて基本補正テーブルの光量補正値を補正するＣＰＵ２１ａと、を備える画像形成装置２。【選択図】図３
2010125613.tif 000002
【特許請求の範囲】
【請求項１】
主走査方向に配列された複数の発光素子からなる光源部、前記発光素子からの照射光を集光させて露光面上に結像させる複数の結合レンズからなる光学部、複数の前記発光素子の光量を補正する第１補正データと、前記結合レンズ固有の光学特性を補正するための第２補正データと、を保存する記憶部、を有する光書込装置と、
前記光書込装置の記憶部から前記第１補正データ及び前記第２補正データを読み出し、前記第２補正データに基づいて前記第１補正データを補正する制御部と、
を備える画像形成装置。
【請求項２】
前記光書込装置を用いて画像データに基づいて用紙上に画像を形成する画像形成部を備え、
前記制御部は、
前記第２補正データに基づいて補正した第１補正データを用いた画質確認用の画像データを生成し、当該生成した画質確認用の画像データに基づいて前記画像形成部により画像を形成させる、
請求項１に記載の画像形成装置。
【請求項３】
前記第２補正データを表示し、前記第２補正データに対する調整指示情報を受け付ける操作表示部を備え、
前記制御部は、
前記操作表示部から入力された調整指示情報に応じて前記第２補正データを調整し、当該調整した第２補正データに基づいて前記第１補正データを補正する、
請求項１又は２に記載の画像形成装置。
【請求項４】
前記制御部は、
前記第２補正データが、前記結合レンズの光学特性を補正するためのデータがない旨を示す調整不要情報である場合、前記操作表示部による前記第２補正データの表示及び前記調整指示情報の受け付けを行わない、
請求項３に記載の画像形成装置。
【請求項５】
前記第２補正データは、
前記結合レンズの光学特性により光量が変化する発光素子が配列されている区間を示す区間情報を含み、
前記制御部は、
前記区間に含まれる発光素子に対応する前記第１補正データを前記第２補正データに基づいて補正する、
請求項１から４のいずれか一項に記載の画像形成装置。
【請求項６】
前記発光素子には、個々を識別する識別番号が設定されており、
前記区間情報には、前記区間の一端部の発光素子の識別番号を示す一端部素子番号及び他端部の発光素子の識別番号を示す他端部素子番号が含まれ、
前記第２補正データには、
前記区間の発光素子の特性データに基づいて算出される値の最大値、
前記最大値に対応する発光素子の識別番号を示す最大素子番号、
が含まれ、
前記制御部は、
前記一端部素子番号から前記他端部素子番号までの前記区間内の発光素子に対応する前記第１補正データを、前記最大値、前記最大素子番号、前記一端部素子番号及び前記他端部素子番号に基づいて補正する、
請求項５に記載の画像形成装置。
【請求項７】
前記調整指示情報は、前記最大値を前記最大値以下に変更する調整値を含み、
前記制御部は、
前記調整値に応じて前記第２補正データを調整する、
請求項６に記載の画像形成装置。
【請求項８】
前記制御部は、
前記区間情報と前記最大値及び前記最大素子番号とに基づいて、前記区間を前記最大値に応じた複数の区間に分け、当該分けられた区間毎に、当該区間に含まれる発光素子の第１補正データを補正する補正量を設定し、前記調整値に応じて、当該分けられた区間毎の補正量を変更すること、
請求項７に記載の画像形成装置。
【請求項９】
主走査方向に配列された複数の発光素子からなる光源部、前記発光素子からの照射光を集光させて露光面上に結像させる複数の結合レンズからなる光学部、複数の前記発光素子の光量を補正する第１補正データと、前記結合レンズ固有の光学特性を補正するための第２補正データと、を保存する記憶部、を有する光書込装置を備える画像形成装置における光量補正方法において、
前記光書込装置の記憶部から前記第１補正データ及び前記第２補正データを読み出し、前記第２補正データに基づいて前記第１補正データを補正する、
光量補正方法。
【発明の詳細な説明】
【技術分野】
【０００１】
本発明は、画像形成装置及び光量補正方法に関する。
【背景技術】
【０００２】
近年、感光体の表面に静電潜像を形成させる光書込装置として、ＬＥＤプリンタヘッド（以下、ＬＰＨと称す。）を用いた画像形成装置が開発されている。ＬＰＨは、ＬＥＤチップアレイと、レンズアレイとを備えて構成されている。ＬＥＤチップアレイは、主走査方向に沿って予め設定された解像度に応じて配列された複数のＬＥＤ（Light Emitting Diode）素子を有するＬＥＤチップがアレイ上に配置されてなる。レンズアレイは、画像データに応じて発光されたＬＥＤ素子からの照射光を集光させて感光体に静電潜像を結像させるＧＲＩＮ（Graded-Index）レンズが複数配列されてなる。
【０００３】
ＬＰＨを用いた画像形成装置において、ＬＥＤ素子の製造バラツキ、ＧＲＩＮレンズの取り付け固定時の角度変動や屈折率分布等に起因する光学特性のバラツキ、ごみの付着等により、光量ムラが発生することが知られている。光量ムラは、濃度ムラを発生させ、この濃度ムラに起因して画像上に黒スジや白スジが発生するという問題がある。
【０００４】
そこで、ＬＰＨを備えた画像形成装置において、ＬＥＤの光量バラツキや、レンズの特性バラツキによる副走査方向の黒スジや濃度ムラによる画像欠陥を抑えるため、各ＬＥＤに対応した素子補正値を格納する第１補正値格納部と、ＬＥＤチップに対応したチップ補正値と格納する第２補正値格納部とを備え、第１補正値格納部から読み出した素子補正値と、第２補正値格納部から読み出したチップ補正値とから補正データを作成し、ＬＥＤの発光光量を補正する発光装置が開示されている（特許文献１参照）。
【０００５】
また、ＬＰＨを用いた画像形成装置において、ＬＥＤの光量バラツキに起因する黒スジや濃度ムラが発生する画像欠陥を特定し、補正を行なうため、ＬＰＨを主走査方向に移動させながら画像を形成し、形成された画像を用紙に出力する。その後、用紙に出力された画像の中から、用紙搬送方向に対して所定の角度を有する画像を読み取り、ＬＰＨに起因する濃度ムラを検出する。この検出された濃度ムラに基づいて、ＬＰＨの補正値を取得し、取得した補正値によってＬＰＨの露光量を調整する画像形成装置が開示されている（特許文献２参照）。
【特許文献１】特開２００５−５９３５６号公報
【特許文献２】特開２００５−２８７２６号公報
【発明の開示】
【発明が解決しようとする課題】
【０００６】
しかしながら、ＬＰＨに用いられているレンズアレイに起因する黒スジを低減させるためのＬＰＨの光量補正値は、形成する画像の種類（例えば、中間階調表現を行なうスクリーン画像）、スクリーン線数、画像濃度等に応じて異なることが知られている。そのため、画像形成装置の利用者が望む画像濃度（特に中間調）の設定で、補正値の調整ができることが望まれている。
【０００７】
本発明の課題は、上記問題に鑑みて、ＬＰＨを構成する発光素子の部分的な光量調整を可能とし、画質の向上を図ることである。
【課題を解決するための手段】
【０００８】
請求項１に記載の発明は、主走査方向に配列された複数の発光素子からなる光源部、前記発光素子からの照射光を集光させて露光面上に結像させる複数の結合レンズからなる光学部、複数の前記発光素子の光量を補正する第１補正データと、前記結合レンズ固有の光学特性を補正するための第２補正データと、を保存する記憶部、を有する光書込装置と、前記光書込装置の記憶部から前記第１補正データ及び前記第２補正データを読み出し、前記第２補正データに基づいて前記第１補正データを補正する制御部と、を備える画像形成装置である。
【０００９】
請求項２に記載の発明は、請求項１に記載の画像形成装置において、前記光書込装置を用いて画像データに基づいて用紙上に画像を形成する画像形成部を備え、前記制御部は、前記第２補正データに基づいて補正した第１補正データを用いた画質確認用の画像データを生成し、当該生成した画質確認用の画像データに基づいて前記画像形成部により画像を形成させる。
【００１０】
請求項３に記載の発明は、請求項１又は２に記載の画像形成装置において、前記第２補正データを表示し、前記第２補正データに対する調整指示情報を受け付ける操作表示部を備え、前記制御部は、前記操作表示部から入力された調整指示情報に応じて前記第２補正データを調整し、当該調整した第２補正データに基づいて前記第１補正データを補正する。
【００１１】
請求項４に記載の発明は、請求項３に記載の画像形成装置において、前記制御部は、前記第２補正データが、前記結合レンズの光学特性を補正するためのデータがない旨を示す調整不要情報である場合、前記操作表示部による前記第２補正データの表示及び前記調整指示情報の受け付けを行わない。
【００１２】
請求項５に記載の発明は、請求項１から４のいずれか一項に記載の画像形成装置において、前記第２補正データは、前記結合レンズの光学特性により光量が変化する発光素子が配列されている区間を示す区間情報を含み、前記制御部は、前記区間に含まれる発光素子に対応する前記第１補正データを前記第２補正データに基づいて補正する。
【００１３】
請求項６に記載の発明は、請求項５に記載の画像形成装置において、前記発光素子には、個々を識別する識別番号が設定されており、前記区間情報には、前記区間の一端部の発光素子の識別番号を示す一端部素子番号及び他端部の発光素子の識別番号を示す他端部素子番号が含まれ、前記第２補正データには、前記区間の発光素子の特性データに基づいて算出される値の最大値、前記最大値に対応する発光素子の識別番号を示す最大素子番号、が含まれ、前記制御部は、前記一端部素子番号から前記他端部素子番号までの前記区間内の発光素子に対応する前記第１補正データを、前記最大値、前記最大素子番号、前記一端部素子番号及び前記他端部素子番号に基づいて補正する。
【００１４】
請求項７に記載の発明は、請求項６に記載の画像形成装置において、前記調整指示情報は、前記最大値を前記最大値以下に変更する調整値を含み、前記制御部は、前記調整値に応じて前記第２補正データを調整する。
【００１５】
請求項８に記載の発明は、請求項７に記載の画像形成装置において、前記制御部は、前記区間情報と前記最大値及び前記最大素子番号とに基づいて、前記区間を前記最大値に応じた複数の区間に分け、当該分けられた区間毎に、当該区間に含まれる発光素子の第１補正データを補正する補正量を設定し、前記調整値に応じて、当該分けられた区間毎の補正量を変更すること。
【００１６】
請求項９に記載の発明は、主走査方向に配列された複数の発光素子からなる光源部、前記発光素子からの照射光を集光させて露光面上に結像させる複数の結合レンズからなる光学部、複数の前記発光素子の光量を補正する第１補正データと、前記結合レンズ固有の光学特性を補正するための第２補正データと、を保存する記憶部、を有する光書込装置を備える画像形成装置における光量補正方法において、前記光書込装置の記憶部から前記第１補正データ及び前記第２補正データを読み出し、前記第２補正データに基づいて前記第１補正データを補正する、光量補正方法である。
【発明の効果】
【００１７】
請求項１又は９に記載の発明によれば、結合レンズの光学特性を補正するための第２補正データに基づいて、発光素子の光量を補正する第１補正データを補正することができるため、ＬＰＨを構成する発光素子の部分的な光量調整が可能となり、画質の向上を図ることができる。
【００１８】
請求項２に記載の発明によれば、請求項１と同様の効果を得られるのは勿論のこと、第２補正データに基づいて補正された第１補正データを用いて形成された画像を形成することができ、当該形成された画像により利用者が望む画質であるかの画質確認が行なえる。
【００１９】
請求項３に記載の発明によれば、請求項１又は２と同様の効果を得られるのは勿論のこと、調整指示情報に基づいて第２補正データを調整することができる。
【００２０】
請求項４に記載の発明によれば、請求項３と同様の効果を得られるのは勿論のこと、第２補正データが調整不要情報である場合、第２補正データの表示及び調整指示情報の受け付けを行わず、第１補正データに基づく画像を形成することができる。
【００２１】
請求項５に記載の発明によれば、請求項１から４のいずれか一項と同様の効果を得られるのは勿論のこと、結合レンズの光学特性により光量が変化する区間に含まれる発光素子に対応する第１補正データを補正することができる。
【００２２】
請求項６に記載の発明によれば、請求項５と同様の効果を得られるのは勿論のこと、最大値、最大素子番号、一端部素子番号及び他端部素子番号に基づいて、第１補正データを補正することができる。
【００２３】
請求項７に記載の発明によれば、請求項６と同様の効果を得られるのは勿論のこと、第２補正データを調整値に応じて調整することができる。
【００２４】
請求項８に記載の発明によれば、請求項７と同様の効果を得られるのは勿論のこと、調整値に応じて、第１補正データを補正する区間を複数の区間に分けることができ、当該分けられた区間毎に補正量を設定することができる。
【発明を実施するための最良の形態】
【００２５】
以下、図を参照して本発明の実施の形態を詳細に説明する。
本実施の形態は、ＬＰＨ検査装置によりＬＰＨの検査を行い、当該検査済みのＬＰＨを画像形成装置に組み込んでＬＰＨの光量調整を行うものである。
【００２６】
まず、構成を説明する。
図１に、本実施の形態におけるＬＰＨ検査装置１の構成図を示す。
図１に示すように、ＬＰＨ検査装置１は、暗箱１１内に設けられたＬＰＨ３、ＬＰＨ固定部材１２、受光部１３、駆動部１４、ＬＰＨ制御部１５、受光制御部／駆動制御部１６、制御装置１７を備えて構成されている。
【００２７】
ＬＰＨ３は、光源部、光学部を有する。光源部は、予め設定された解像度に対応した画素ピッチで主走査方向に配列された複数の発光素子（例えば、ＬＥＤ（Light Emitting Diode）素子）からなるＬＥＤアレイを有する。光学部は、当該発光素子からの照射光を集光させて露光面上に結像させる複数の結像レンズ（例えば、ＧＲＩＮ（Graded-Index）レンズ）からなるレンズアレイを有する。ＬＰＨ３は、画像データに基づいて発光素子が選択的に駆動されて点灯し、駆動された発光素子から照射される光を結像レンズにより露光面上に集光させて結像させる光書込装置である。
なお、各発光素子には、それぞれ固有の識別番号（素子番号）が付されている。
【００２８】
更に、ＬＰＨ３は、記憶部３１を有する。記憶部３１は、ＥＥＰＲＯＭ（Electrically Erasable and Programmable Read Only Memory）やフラッシュメモリ等の電気的に書き換え可能な不揮発性の記憶媒体である。記憶部３１としては、所定の記憶領域単位で消去／書き込みが行なえるものが好ましい。
【００２９】
記憶部３１には、ＬＰＨ検査装置１にて取得されたＬＰＨの各種データが保存される。この各種データには、基本補正テーブル及び補正対象データが含まれる。
【００３０】
基本補正テーブルは、個々の発光素子の光量を補正する光量補正値が各発光素子の素子番号と対応付けられた形式でテーブル化された第１補正データである。
【００３１】
補正対象データは、所定の結合レンズの光学特性を補正するための第２補正データである。この補正対象データは、区間情報を含む。区間情報は、結合レンズの光学特性により光量が変化する発光素子が配列されている区間（補正対象区間）を示し、基本補正テーブルに含まれる光量補正値のうち補正対象となる発光素子の光量補正値を特定するものである。また、補正対象データには、補正対象区間に含まれる発光素子の光量補正値に対する補正情報を含む。
【００３２】
ＬＰＨ固定部材１２は、例えば、エア吸引によりＬＰＨ３を吸着保持し、ＬＰＨ３を予め設定された位置に固定するものである。
【００３３】
受光部１３は、ＬＰＨ３から照射される光を受光し、受光した光量値を受光制御部／駆動制御部１６に出力する。受光部１３としては、例えば、ＣＣＤ（（Charge Coupled Device）や光電子倍増管（Photo Multiplier）、フォトダイオード等を挙げることができる。
【００３４】
駆動部１４は、モータやＬＰＨ３の照射面と対向する位置の主走査方向に延在するガイドレール等を備え、受光部１３をガイドレール上のＬＰＨ３の照射面と対向する位置に保持し、受光制御部／駆動制御部１６からの指示に従って主走査方向に移動させる。
【００３５】
ＬＰＨ制御部１５は、制御装置１７から入力された指示に従って、ＬＰＨ３全体を制御する。ＬＰＨ制御部１５は、制御装置１７から入力された指示に応じて発光素子の露光時間（点灯時間）や光量補正値、点灯させる発光素子をＬＰＨ３に設定し、当該露光時間で選択した発光素子を点灯させる点灯制御を行なう。また、ＬＰＨ制御部１５は、制御装置１７から入力された指示に従って、ＬＰＨ３の記憶部３１に基本補正テーブルや補正対象データ等の各種データを書き込む。
【００３６】
受光制御部／駆動制御部１６は、受光部１３から入力される光量値に対して、光電変換処理、Ａ／Ｄ変換処理を施して光量測定値を算出し、当該光量測定値を制御装置１７に出力し、また、制御装置１７から入力された指示に従って、駆動部のモータを駆動させ、ガイドレール上に保持されている受光部１３をＬＰＨ３の主走査方向に移動させる。
【００３７】
制御装置１７は、制御部１７ａ、メモリ１７ｂ、表示部１７ｃ、操作部１７ｄ等を有しており、ＬＰＨ検査装置１全体を統括的に制御する。
【００３８】
制御部１７ａは、ＣＰＵ（Central Processing Unit）、ＲＯＭ（Read Only Memory）、ＲＡＭ（Random Access Memory）等を備えており、ＲＯＭ又はメモリ１７ｂに記憶されているシステムプログラム、各処理プログラム、データ等を読み出して、ＲＡＭ内に展開し、展開されたプログラムに従って、制御装置１７各部の動作を制御すると共に、ＬＰＨ制御部１５、受光制御部／駆動制御部１６を統括的に制御し、ＬＰＨ検査装置１全体の統括的な制御を行なうものである。
【００３９】
また、制御部１７ａは、ＲＯＭ又はメモリ１７ｂに記憶されているＬＰＨ検査プログラム、光量補正テーブルや各種データ等を読み出して、ＬＰＨ検査処理を実行する。ＬＰＨ検査処理には、ＬＰＨ部組検査処理と補正データ書込処理とが含まれる。更に、ＬＰＨ部組検査処理には、第１〜３光量調整処理と、ＭＴＦ測定処理と、第１〜３算出処理とが含まれる。
【００４０】
第１〜３光量調整処置は、ＬＰＨの光量を測定し、基本補正テーブルを生成する処理である。
【００４１】
ＭＴＦ測定処理は、第１〜３光量調整処理により生成された基本補正テーブルに応じて設定された光量に基づいてＬＰＨ制御部１５によりＬＰＨの各発光素子が予め設定された点灯パターンで点灯されると共に、受光制御部／駆動制御部１６により駆動部１４が駆動されて点灯される発光素子と対向する位置に受光部１３が移動され、受光部１３により受光され受光制御部／駆動制御部１６により入力された光量測定値に基づいて発光素子毎の特性データが算出される。具体的には、ＭＴＦ特定（Modulation Transfer Function特性）であり、コントラスト伝達関数とも呼ばれ、光学系の解像力を表すデータが算出される。
【００４２】
本実施の形態におけるＭＴＦ測定処理での点灯パターンとしては、発光素子を１つ置きに点灯させる点灯パターン（以下、１（ＯＮ）−１（ＯＦＦ）とも称す。）を用いる。他の点灯パターンとしては、発光素子を３つ置きに点灯させる点灯パターン（以下、１（ＯＮ）−３（ＯＦＦ）とも称す。）や、発光素子を２つ置きに２素子単位で点灯させる点灯パターン（以下、２（ＯＮ）−２（ＯＦＦ）とも称す。）がある。
【００４３】
第１算出処理は、発光素子毎の特性データに基づいて、予め設定された第１の移動平均区間での発光素子毎の第１の移動平均値を第１演算値として算出する処理である。
第２算出処理は、発光素子毎の特性データに基づいて、第１の移動平均区間よりも大きい予め設定された第２の移動平均区間での発光素子毎の第２の移動平均値を、第１演算値（第１の移動平均値）とは異なる第２演算値として算出する処理である。
第１算出処理の第１の移動平均区間及び第２算出処理の第２移動平均区間は、ＬＰＨ３の光学部の結像レンズの配置構成に基づいて定める。
【００４４】
本実施の形態の結像レンズの配置構成は、複数の結像レンズを主走査方向に２列に「俵積み」と呼ばれる配置で配列したものとする。図２に、「俵積み」した結像レンズの配置例と発光素子との関係を示す。図２に示すように、「俵積み」とは、円柱状の結像レンズを半径方向に隣接するように並べた第１層に、第１層と同様に並べた第２層の各結像レンズを、第１層の相互に隣接している２つの結像レンズの間に生じる谷間に配置するものである。この「俵積み」の配置では、隣接する２つの結像レンズの軸から軸までの距離が当該２つの結像レンズの半径の和の長さ、即ち直径Ｄの長さとなる。
【００４５】
この「俵積み」の配置の場合、ある発光素子ａから照射された光の光学寄与が最も高い結像レンズＡが傾いたとき、当該結像レンズの次に光学寄与が高い結像レンズＢ１、Ｂ２（即ち、当該結像レンズＡが属する層とは異なる層の結像レンズであって当該結像レンズに隣接する２つの結像レンズＢ１、Ｂ２）にも影響を与え、複数のレンズ素子が関連を持って黒スジが生じることが知られている。
【００４６】
ＬＰＨの解像度が１２００［ｄｐｉ］の場合、結像レンズの直径Ｄに配列される発光素子の数は、約２５素子となる。図２に示す発光素子ａが点灯した場合の光学特性は、結像レンズＡによる光学特性Ｌａと結像レンズＢ１、Ｂ２とによる光学特性Ｌｂ１、Ｌｂ２に起因するものである。この結像レンズＡ、Ｂ１、Ｂ２により照射光が受光されて集光される発光素子の素子数は、２つの隣接する結像レンズの直径Ｄに配列される発光素子の数（約５０素子）である。従って、約５０素子が黒スジが発生する検出精度に寄与する最小の素子数となるため、この素子数を第１の移動平均区間とすることが好ましい。
【００４７】
第２の移動平均区間は、各発光素子のＭＴＦ値をグラフ化したＭＴＦ曲線を平滑化するために必要とする素子数であることが求められる。例えば、第１の移動平均区間を５２素子とした場合には、第２の移動平均区間は７６８素子が好ましい。
【００４８】
第３算出処理は、発光素子毎に第１演算値としての第１の移動平均値と第２演算値としての第２移動平均値とに基づいて、第２移動平均値から第１の移動平均値を差分した差分値（移動平均差）を第３演算値として算出する処理である。
【００４９】
第３算出処理後には、第３算出処理により算出された第３演算値と予め設定された閾値とに基づいて、補正対象データが生成される。
なお、閾値としては、１．６以上２．０以下であることが好ましい。
【００５０】
補正対象データには、補正対象区間のピーク値ＭＰ、ピーク素子番号ＰＰ、区間情報としての開始素子番号ＳＰ、終了素子番号ＥＰが含まれる。
補正対象区間とは、第３演算値が予め設定された閾値以上となる発光素子の区間において、第３演算値が１以上となる発光素子の区間である。
ピーク値ＭＰは、補正対象区間における第３演算値の最大値である。ピーク素子番号ＰＰは、ピーク値ＭＰに対応する発光素子の素子番号（最大素子番号）である。
開始素子番号ＳＰは、補正対象区間の一端部の発光素子の素子番号（一端部素子番号）、例えば、主走査方向において補正対象区間のうち最初に点灯する発光素子の素子番号である。終了素子番号ＥＰは、補正対象区間の他端部の発光素子の素子番号（他端部素子番号）、例えば、主走査方向において補正対象区間のうち最後に点灯する発光素子の素子番号である。
【００５１】
メモリ１７ｂは、フラッシュメモリ等の不揮発性のメモリで構成され、各種プログラム及びデータを書き換え可能に記憶する。また、メモリ１７ｂは、ＬＰＨ検査処理プログラム、ＬＰＨ３に設けられた各発光素子に対して予め設定された初期の光量補正値（初期光量補正値）を格納した光量補正テーブル、第１〜３光量調整処理に用いられるライン周期、露光時間、ＭＴＦ測定処理に用いられる各種点灯パターン、閾値等の必要な各種データを記憶していると共に、受光部１３により受光されて得られた光量測定値のテーブル（光量測定テーブル）、各種演算値等を記憶する。
【００５２】
表示部１７ｃは、ＬＣＤ（Liquid Crystal Display）又は有機ＥＬ（Electronic Luminescent）素子等を用いた表示画面を備え、制御部１７ａから入力される表示信号に従って、各種設定条件を入力する各種表示画面や各種処理結果等を表示する各種表示画面を表示する。
【００５３】
操作部１７ｄは、各種操作キー群、表示部１７ｃの表示画面を覆うタッチパネル等を有する。操作部１７ｄは、操作キー群又はタッチパネルから入力される操作信号を制御部１７ａに出力する。
【００５４】
図３に、本実施の形態における画像形成装置２の制御ブロック図を示す。
画像形成装置２は、原稿から画像を読み取り、読み取った画像を紙等の用紙に画像形成するコピー機能や、ＰＣ（Personal Computer）等の外部装置から画像データを受信し、画像データが表す画像を用紙上に形成して出力するプリンタ機能等を備えたデジタル複合機である。
【００５５】
図３に示すように、画像形成装置２は、本体制御部２１、機構制御部２２、操作表示部２３、外部Ｉ／Ｆ２４、ＬＰＨ３、プリント部４及び画像読取部（不図示）などにより構成され、各部はバスにより接続されている。
【００５６】
本体制御部２１は、ＣＰＵ２１ａ、不揮発メモリ２１ｂ、ＲＡＭ２１ｃ、画像メモリ２１ｄ、画像処理部２１ｅ、画像処理部２１ｅと接続されたＬＰＨ制御部２１ｆ、Ｉ／Ｏ（Input/Output）２１ｇ等を備えている。
【００５７】
ＣＰＵ２１ａは、不揮発メモリ２１ｂに記憶されているシステムプログラム、各処理プログラム、データを読み出して、不揮発メモリ２１ｂ又はＲＡＭ２１ｃ内に展開し、展開されたプログラムに従って、画像形成装置２各部の動作を集中制御する。システム全体のタイミング制御、不揮発メモリ２１ｂ又はＲＡＭ２１ｃを使用した画像データの記憶及び蓄積制御、プリント部に対する画像データの入出力制御、他のアプリケーション（ＦＡＸ、プリンタ、スキャナ等）とのインターフェース（Ｉ／Ｆ）や動作制御を行うものである。
【００５８】
また、ＣＰＵ２１ａは、不揮発メモリ２１ｂに記憶されているＬＰＨ調整処理プログラム等の他各種データ等を読み出して、ＬＰＨ調整処理を実行する。
ＬＰＨ調整処理は、ＬＰＨ３の記憶部３１から基本補正テーブル（第１補正データ）及び補正対象データ（第２補正データ）が読み出され、調整メニュー画面が操作表示部に表示され、操作表示部から入力された調整指示情報に応じて調整された補正対象データに基づいて基本補正テーブルが補正され、補正された基本補正テーブルを用いた画質確認用の画像データに基づく画像がプリント部４により用紙に形成され出力される処理である。
【００５９】
調整メニュー画面は、読み出された補正対象データを表示すると共に、当該補正対象データに対する調整指示情報を受け付けるものである。
【００６０】
不揮発メモリ２１ｂは、画像形成装置２に対応するプログラム、ＬＰＨ調整処理やデータなどがあらかじめ記憶されており、システムプログラム、当該システムに対応する各種処理プログラム、各種処理プログラムで処理するのに必要なデータを記憶している。
【００６１】
また、不揮発メモリ２１ｂは、フラッシュメモリ等の不揮発性のメモリで構成され、画像形成装置２に対応する各種プログラム及び各種プログラムで処理するのに必要なデータが予め記憶されている。また、不揮発メモリ２１ｂには、ＬＰＨ調整処理プログラムや画質確認用の画像データ等のＬＰＨ調整処理プログラムにて必要な各種データが記憶されている。
【００６２】
ＲＡＭ２１ｃは、ＣＰＵ２１ａにより実行される各種処理において、不揮発メモリ２１ｂから読み出されたプログラム、入力、若しくは出力データ及びパラメータなどの一時的な格納領域となる。
【００６３】
画像メモリ２１ｄは、画像データメモリと、光量補正データメモリを備える。
画像データメモリは、ＤＲＡＭ（Dynamic ＲＡＭ）等を用いて構成される。画像データメモリは、画像読取部や外部Ｉ／Ｆ２４等から送られてきた画像データを記憶する。
光量補正データメモリは、ＥＥＰＲＯＭ（Electronically Erasable and Programmable Read Only Memory）等の書き替え可能な不揮発性のメモリを用いて構成される。光量補正データメモリは、ＬＰＨ３から読み出されたデータ（基本補正テーブル、補正対象データ等）を記憶する。
【００６４】
画像処理部２１ｅは、画像メモリ２１ｄに記憶されている画像データの画像処理（変倍、フィルタ、γ変換など）を行い、プリント出力対象となるプリントデータを生成する。
【００６５】
ＬＰＨ制御部２１ｆは、画像処理部２１ｅにより生成されたプリントデータを格納すると共に、生成されたプリントデータに基づいた各種信号や、ＬＰＨ３の記憶部３１に書き込むデータをＬＰＨ３に出力する。
【００６６】
Ｉ／Ｏ２１ｇは、ＬＰＨ３の記憶部３１から読み出された基本補正テーブル及び対象補正データを、ＣＰＵ２１ａに出力し、画像メモリ２１ｄの光量補正データメモリに記憶させる。
【００６７】
機構制御部２２は、本体制御部２１からの信号に基づいて画像形成装置２内の各種駆動機構及び各種センサ等を統括的に制御するものであり、例えば、画像形成部が備える感光体ドラムを一定速度で回転させるモータを駆動制御している。
【００６８】
操作表示部２３は、ＬＣＤ（Liquid Crystal Display）又は有機ＥＬ（Electronic Luminescent）素子を用いた等の表示画面や、テンキーや電源スイッチを含む操作キー群等から構成される。表示画面上には、表示画面を覆うようにタッチパネルが設けられており、本体制御部２１から入力される表示信号に従って、各種設定条件を入力するための各種設定画面や調整メニュー画面、画像形成装置２の動作状態や処理結果等が表示される。また、操作表示部２３は、操作キー群又はタッチパネルから入力される操作信号を本体制御部２１に送信する。
【００６９】
外部Ｉ／Ｆ２４は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、通信可能に接続された外部機器と相互に情報の送受信を行う。
【００７０】
プリント部４は、ＬＰＨ３を有する画像形成部、クリーニング部、転写ベルト、給紙部、搬送部、定着部等を備え、用紙上に画像を形成する。
【００７１】
次に、本実施の形態の動作を説明する。
図４に、本実施の形態におけるＬＰＨ検査処理のフローチャートを示す。
図４に示す処理は、ＬＰＨ検査装置１を用いて実行される処理である。
【００７２】
まず、ＬＰＨ３の初期検査が行なわれる（ステップＳ１）。初期検査では、ＬＰＨ３を構成する各種部品の外観が観察され、キズや汚れ等が無いかが確認され、ＬＰＨ３の光量やＭＴＦ値、フォーカス位置等の初期値が設定される処理である。
【００７３】
初期検査後、ＬＰＨ３を構成する各種部品や取り付け部材を組み立てるＬＰＨ部組が行われる（ステップＳ２）。部組が行なわれたＬＰＨ３がＬＰＨ固定部材１２に仮設置され、受光部１３に対する位置決めやフォーカス位置の調整が行われる（ステップＳ３）。
【００７４】
フォーカス位置の調整後、ＬＰＨ３を構成する各種部品等の接着及び乾燥が行なわれ、ＬＰＨ３はＬＰＨ固定部材１２等の固定支持部に固定される（ステップＳ４）。
【００７５】
ＬＰＨ固定部材１２に固定されたＬＰＨ３に対してＬＰＨ部組検査処理が実行され（ステップＳ５）、補正データ書込処理が実行され（ステップＳ６）、ＬＰＨ検査装置１での処理は終了される。
【００７６】
図５に、本実施の形態におけるＬＰＨ組み立て処理のフローチャートを示す。
図５に示す処理は、画像形成装置２を用いて実行される処理である。
【００７７】
ＬＰＨ検査装置１によるＬＰＨ検査処理が完了したＬＰＨ３が画像形成装置２の所定位置に取り付けられる（ステップＳ７）。そして、ＬＰＨ３が取り付けられた画像形成装置２により、当該ＬＰＨ３を用いたＬＰＨ調整処理が実行され（ステップＳ８）、画像形成装置２での処理が終了される。
【００７８】
図６に、ＬＰＨ検査装置１で実行されるＬＰＨ部組検査処理のフローチャートを示す。
図６に示す処理は、制御部１７ａと各部との協働により実行されるものである。
【００７９】
制御部１７ａは、第１光量調整処理を実行させ（ステップＳ１１）、第１光量調整処理の実行後、第２光量調整処理を実行させ（ステップＳ１２）、第２光量調整処理の実行後、第３光量調整処理を実行させる（ステップＳ１３）。
制御部１７ａにより第３光量調整処理の実行が完了すると、ＬＰＨ３に設けられている発光素子の光量バラツキが予め設定された値以下に調整されると共に、各発光素子に対する光量補正値が素子番号に対応付けられた基本補正テーブルが生成される。
なお、第１〜３光量調整処理の詳細については後述する。
【００８０】
制御部１７ａは、発光素子の光量バラツキが調整されたＬＰＨ３に対して、ＭＴＦ測定処理を実行する（ステップＳ１４）。なお、ＭＴＦ測定処理については、点灯パターン毎に各発光素子のＭＴＦ値を算出する正規処理と、連続して配列された複数素子共通のＭＴＦ値を算出する略式処理とがあり、演算効率の向上を図る上では略式処理を用いることが好ましく、本実施の形態では略式処理を用いる。
【００８１】
制御部１７ａは、ＭＴＦ測定処理の実行後、第１算出処理を実行する（ステップＳ１５）。本実施の形態における第１算出処理は、第１の移動平均区間を５２素子とし、各発光素子を当該第１の移動平均区間の中心として、各発光素子の第１の移動平均値を算出する。
【００８２】
略式処理によりＭＴＦ値が算出された場合の第１算出処理について説明する。
本実施の形態における略式処理で算出されるＭＴＦ値は、４つの発光素子毎に共通のＭＴＦ値とする。従って、第１の移動平均区間を５２素子とした場合、４素子を１組として１３組単位で第１の移動平均値を算出する。例えば、４の倍数の素子番号の発光素子のＭＴＦ値に基づいて、各組の第１の移動平均値を算出する。組番号ｍに含まれる発光素子のうち最も素子番号が小さい素子番号の発光素子の第１の移動平均値ＭＴＦａ１（ｎ）は、下記の式（１）により算出される。
【００８３】
ＭＴＦａ１（ｎ）＝｛ＭＴＦ（ｎ−２４）＋ＭＴＦ（ｎ−２０）＋ＭＴＦ（ｎ−１６）
＋ＭＴＦ（ｎ−１２）＋ＭＴＦ（ｎ−８）＋ＭＴＦ（ｎ−４）
＋ＭＴＦ（ｎ）＋ＭＴＦ（ｎ＋４）＋ＭＴＦ（ｎ＋８）
＋ＭＴＦ（ｎ＋１２）＋ＭＴＦ（ｎ＋１６）＋ＭＴＦ（ｎ＋２０）
＋ＭＴＦ（ｎ＋２４）｝／１３
・・・・（１）
【００８４】
なお、第１の移動平均区間の半数未満の組（１組目〜６組目）の発光素子の第１の移動平均値を、７組目の発光素子の第１の移動平均値とし、最終組（Ｍ組）から第１の移動平均区間の半数区間の組（Ｍ組〜Ｍ−６組目）の発光素子の第１の移動平均値を、Ｍ−７組目の発光素子の第１の移動平均値とする。
【００８５】
制御部１７ａは、ＭＴＦ測定処理の実行後、第２算出処理を実行する（ステップＳ１６）。本実施の形態における第２算出処理は、第２の移動平均区間を７６８素子とし、各発光素子を当該第２の移動平均区間の中心として、各発光素子の第２の移動平均値を算出する。
【００８６】
略式処理によりＭＴＦ値が算出された場合の第２算出処理について説明する。
上述したように、略式処理で算出されたＭＴＦ値は、４つの発光素子毎に共通のＭＴＦ値である。従って、第２の移動平均区間を７６８素子とした場合、４素子を１組として１９２組単位で第２の移動平均値を算出する。例えば、４の倍数の素子番号の発光素子のＭＴＦ値に基づいて、各組の第２の移動平均値を算出する。組番号ｍに含まれる発光素子のうち最も素子番号が小さい素子番号の発光素子の第２の移動平均値ＭＴＦａ２（ｎ）は、下記の式（２）により算出される。
【００８７】
ＭＴＦａ２（ｎ）＝｛ＭＴＦ（ｎ−３８４）＋ＭＴＦ（ｎ−３８０）＋…
…＋ＭＴＦ（ｎ−４）＋ＭＴＦ（ｎ）＋ＭＴＦ（ｎ+４）＋…
…＋ＭＴＦ（ｎ＋３７６）＋ＭＴＦ（ｎ＋３８０）｝／１９２
・・・・（２）
【００８８】
なお、第２の移動平均区間の半数未満の組（１組目〜９６組目）の発光素子の第２の移動平均値を、９７組目の発光素子（素子番号ｎ＝３８５〜３８８の発光素子）の第２の移動平均値とし、最終組（Ｍ組）から第２の移動平均区間の半数区間の組（Ｍ組〜Ｍ−９６組目）の発光素子の第２の移動平均値を、Ｍ−９７組目の発光素子の第２の移動平均値とする。
【００８９】
制御部１７ａは、第１算出処理及び第２算出処理後、各発光素子の第２の移動平均値ＭＴＦａ２（ｎ）から第１の移動平均値ＭＴＦａ１（ｎ）を差分した差分値ＭＴＦｄ（ｎ）を算出する第３算出処理を実行する（ステップＳ１７）。
【００９０】
制御部１７ａは、予め設定された発光素子の数（例えば、主走査方向に発光素子が１５３６０画素配列されている場合、３８４素子）の区分毎に差分値ＭＴＦｄ（ｎ）の最大値を検出する。そして制御部１７ａは、検出した最大値が予め設定された閾値以上となる区分を検出する。制御部１７ａは、検出した各区分に、発光素子の差分値ＭＴＦｄ（ｎ）を参照し、差分値ＭＴＦｄ（ｎ）が最大値である発光素子を含む差分値ＭＴＦｄ（ｎ）が連続して０以上となる発光素子の区間を検出する。制御部１７ａは、検出した区間の各発光素子の差分値ＭＴＦｄを小数点以下を切り捨てた値に処理する。制御部１７ａは、処理済みの差分値（第４演算値ＭＴＦｔ（ｎ））が素子番号と対応付けられた黒スジ補正基本テーブルを生成する（ステップＳ１８）。
【００９１】
制御部１７ａは、黒スジ補正基本テーブルに基づいてピーク値情報を検出する（ステップＳ１９）。ステップＳ１９では、ステップＳ１８において算出された第４演算値ＭＴＦｔ（ｎ）が１以上となる発光素子が連続する区間が抽出され、当該区間毎に差分値ＭＴＦｄ（ｎ）の最大値（ピーク値ＭＰ）と、当該ピーク値ＭＰに対応する素子番号（ピーク素子番号ＰＰ）とを含むピーク値情報が検出される。
【００９２】
制御部１７ａは、ピーク素子番号ＰＰに基づいて補正対象区間を検出する（ステップＳ２０）。ステップＳ２０では、ピーク素子番号ＰＰの前後の素子番号で、第４演算値ＭＴＦｔ（ｎ）が０となる素子番号が検索され、この検索された素子番号に基づいて補正対象区間が検出される。
【００９３】
例えば、ピーク素子番号ＰＰから素子番号が小さくなる方向、即ち、主走査方向においてピーク素子番号ＰＰから最初に点灯する発光素子の素子番号に向かう方向に、第４演算値ＭＴＦｔ（ｎ）がサーチされ、第４演算値ＭＴＦｔ（ｎ）が０になった素子番号に１を加えた素子番号が、当該ピーク素子番号ＰＰを含む補正対象区間の開始素子番号ＳＰとして検出される。
また、ピーク素子番号ＰＰから素子番号が大きくなる方向、即ち、主走査方向においてピーク素子番号ＰＰから最後に点灯する発光素子の素子番号に向かう方向に、第４演算値ＭＴＦｔ（ｎ）がサーチされ、第４演算値ＭＴＦｔ（ｎ）が０になった素子番号から１を減算した素子番号が、当該ピーク素子番号ＰＰを含む補正対象区間の終了素子番号ＥＰとして検出される。
【００９４】
従って、ピーク素子番号ＰＰを含む開始素子番号ＳＰから終了素子番号ＥＰまでの区間が補正対象区間となる。即ち、補正対象区間は、ピーク素子番号ＰＰを含む第４演算値ＭＴＦｔ（ｎ）が１以上となる発光素子が連続する区間である。
【００９５】
制御部１７ａは、ステップＳ１９及びステップＳ２０において検出したピーク値情報（ピーク値ＭＰ、ピーク素子番号ＰＰ）と補正対象区間（開始素子番号ＳＰ、終了素子番号ＥＰ）を補正対象データとする。
【００９６】
そして、制御部１７ａは、ステップＳ１１〜Ｓ１３によって生成された基本補正テーブルを読み出し、基本補正テーブルと補正対象データとに基づいて、黒スジ補正テーブルを生成し（ステップＳ２１）、本処理を終了する。
【００９７】
ステップＳ２１では、補正対象区間は基本補正テーブルのデータ、他の区間のデータは０、とする基本補正テーブルが生成され、読み出された基本補正テーブルから生成した基本補正テーブルが差分され、当該差分して得られる基本補正テーブルが黒スジ補正テーブルとして生成される。
【００９８】
図７に、第１光量調整処理のフローチャートを示す。
制御部１７ａは、メモリ１７ｂから初期検査により設定された初期光量補正値が格納された光量補正テーブルを読み出し、ＬＰＨ制御部１５により各発光素子の電流調整値となる初期光量補正値を各発光素子に設定させる（ステップＳ３１）。また制御部１７ａは、メモリ１７ｂからライン周期、露光時間を読み出し、ＬＰＨ制御部１５によりＬＰＨ３のライン周期、各発光素子の露光時間をＬＰＨ３に設定させる（ステップＳ３２）。
【００９９】
制御部１７ａは、点灯させる素子番号（点灯素子番号）ｎを０に指定した後（ステップＳ３３）、点灯素子番号ｎに１を加算して（ステップＳ３４）、受光制御部／駆動制御部１６により駆動部１４を駆動させて受光部１３を点灯素子番号ｎに対応する位置に移動させる（ステップＳ３５）。
【０１００】
制御部１７ａは、点灯素子番号ｎの発光素子をＬＰＨ制御部１５により点灯させ（ステップＳ３６）、受光部１３が受光した光量値が受光制御部／駆動制御部１６により変換された光量測定値Ｐ（ｎ）を取得し、光量測定テーブルに格納する（ステップＳ３７）。
【０１０１】
制御部１７ａは、点灯素子番号ｎが最終番目の素子番号であるか否かを判別する（ステップＳ３８）。ステップＳ３８において、点灯素子番号ｎが最終番目の素子番号でない場合（ステップＳ３８；ＮＯ）、第１光量調整処理はステップＳ３４に戻り、点灯素子番号ｎが最終番目の素子番号である場合（ステップＳ３８；ＹＥＳ）、第１光量調整処理は終了する。
【０１０２】
図８に、第２光量調整処理のフローチャートを示す。
制御部１７ａは、メモリ１７ｂに記憶されている光量測定テーブルを読み出し（ステップＳ４１）、各発光素子の光量測定値から全発光素子の平均光量Ｐａを算出し（ステップＳ４２）、光量補正テーブルの展開領域をメモリ１７ｂに確保する（ステップＳ４３）。
【０１０３】
制御部１７ａは、参照する発光素子の素子番号（参照素子番号）ｎを１に設定し（ステップＳ４４）、光量補正テーブルに格納されている参照素子番号ｎの光量補正値ＴＴ（ｎ）を読み出す（ステップＳ４５）。
【０１０４】
制御部１７ａは、読み出した参照素子番号ｎの光量補正値ＴＴ（ｎ）、当該参照素子番号ｎの光量測定値Ｐ（ｎ）、平均光量Ｐａに基づいて、当該光量補正値ＴＴ（ｎ）に補正を行ない、新たな光量補正値ＴＴ（ｎ）を算出する（ステップＳ４６）。具体的には、光量測定値Ｐ（ｎ）を平均光量Ｐａで除算した値から１を減算した値に読み出した光量補正値ＴＴ（ｎ）を加算して、新たな光量補正値ＴＴ（ｎ）とする。下記の式（３）に、新たな光量補正値ＴＴ（ｎ）の算出式を示す。
【０１０５】
ＴＴ（ｎ）＝ＴＴ（ｎ）＋（Ｐ（ｎ）／Ｐａ−１）              ・・・・（３）
【０１０６】
制御部１７ａは、ステップＳ４６にて算出した光量補正値ＴＴ（ｎ）を光量補正テーブルに上書きして保存し（ステップＳ４７）、参照素子番号ｎに１を加算する（ステップＳ４８）。
【０１０７】
制御部１７ａは、参照素子番号ｎが最終番目の素子番号に１を加算した値であるか否かを判別する（ステップＳ４９）。ステップＳ４９において、参照素子番号ｎが最終番目の素子番号に１を加算した値でない場合（ステップＳ４９；ＮＯ）、第２光量調整処理はステップＳ２５に戻り、参照素子番号ｎが最終番目の素子番号に１を加算した値である場合（ステップＳ４９；ＹＥＳ）、第２光量調整処理は終了する。
【０１０８】
図９に、第３光量調整処理のフローチャートを示す。
制御部１７ａは、メモリ１７ｂに記憶されている光量補正テーブル（即ち、第２光量調整処理により算出された光量補正値が格納されている光量補正テーブル）を読み出し、ＬＰＨ制御部１５により各発光素子の電流調整値となる光量補正値を各発光素子に設定させる（ステップＳ５１）。なお、ステップＳ５２〜Ｓ５８は、第１光量調整処理のステップＳ３２〜Ｓ３８と同様であるため、説明は省略する。
【０１０９】
制御部１７ａは、本処理により生成された光量測定テーブルを読み出し（ステップＳ５９）、各発光素子の光量測定値から全発光素子の平均光量Ｐａを算出する（ステップＳ６０）。
【０１１０】
制御部１７ａは、各発光素子の光量測定値Ｐ（ｎ）、平均光量Ｐａに基づいて、各発光素子の光量バラツキΔＰ（ｎ）を算出する（ステップＳ６１）。具体的には、光量測定値Ｐ（ｎ）から平均光量Ｐａを除算した値に１００を乗算してパーセント［％］で示した値を光量バラツキΔＰ（ｎ）として算出する。下記の式（４）に、素子番号ｎの発光素子の光量バラツキΔＰ（ｎ）の算出式を示す。
【０１１１】
ΔＰ（ｎ）＝（Ｐ（ｎ）−Ｐａ）×１００［％］                    ・・・・（４）
【０１１２】
制御部１７ａは、全ての発光素子の光量バラツキΔＰ（ｎ）が±５［％］以内であるか否かを判別する（ステップＳ６２）。ステップＳ６２において、全ての発光素子の光量バラツキΔＰ（ｎ）が±５［％］以内でない場合（ステップＳ６２；ＮＯ）、第２光量調整処理に戻って（ステップＳ６３）第３光量調整処理は終了し、全ての発光素子の光量バラツキΔＰ（ｎ）が±５［％］以内である場合（ステップＳ６２；ＹＥＳ）、第３光量調整処理は終了する。
【０１１３】
第１〜３光量調整処理が実行されることにより、全ての発光素子の光量バラツキが所定範囲（±５［％］）以内となる光量補正テーブルが生成されることとなる。この光量補正テーブルが基本補正テーブルとなる。また、第１〜３光量調整処理により、後に実行されるＭＴＦ測定処理で算出される各発光素子のＭＴＦ値の算出精度を向上でき、補正対象発光素子の特定精度の信頼性を向上させることができる。
【０１１４】
次に、ＭＴＦ測定処理について説明する。
ＭＴＦ測定処理での点灯パターンは、１（ＯＮ）−１（ＯＦＦ）、１（ＯＮ）−３（ＯＦＦ）、２（ＯＮ）−２（ＯＦＦ）の３つの点灯パターンがある。ＭＴＦ測定処理の種類は、いずれかの点灯パターンと正規処理又は略式処理のＭＴＦ算出処理との組み合わせがある。本実施の形態におけるＭＴＦ測定処理は、１（ＯＮ）−１（ＯＦＦ）の点灯パターンでの略式処理とする。
【０１１５】
以下、１（ＯＮ）−３（ＯＦＦ）の略式処理のＭＴＦ測定処理について説明する。
１（ＯＮ）−３（ＯＦＦ）の点灯パターンの略式処理のＭＴＦ測定処理は、４つの連続して配置された発光素子を１組とし、各組のいずれか一つの発光素子のＭＴＦ値を算出し、当該ＭＴＦ値を組共通のＭＴＦ値とする処理である。
【０１１６】
本実施の形態における１（ＯＮ）−３（ＯＦＦ）の点灯パターンの略式処理のＭＴＦ測定処理では、先頭の発光素子から３素子おきの発光素子（例えば、素子番号ｎ＝１，５，９・・・の発光素子）が順次点灯され、点灯された発光素子に対する最大光量値が取得され、また、点灯した素子間の３つの連続した発光素子のうち中央の位置の発光素子（例えば、素子番号ｎ＝３，７，１１・・・の発光素子）の位置に受光部３０が移動され、点灯された発光素子に対する最小光量値が取得される。そして、１（ＯＮ）−３（ＯＦＦ）の点灯パターンの略式処理のＭＴＦ測定処理では、最大光量値と最小光量値に基づいてＭＴＦ値が算出され、当該ＭＴＦ値が各組の共通のＭＴＦ値となる。
【０１１７】
図１０に、１（ＯＮ）−３（ＯＦＦ）の点灯パターンの略式処理でのＭＴＦ測定処理のフローチャートを示す。
制御部１７ａは、測定前に各部の初期設定を行なう（ステップＳ７１）。例えば、受光制御部／駆動制御部１６により受光部１３をガイドレール上の原点位置に移動させたり、受光部１３のリファレンス調整、受光制御部／駆動制御部１６内のＡ／Ｄ変換回路や格納メモリの初期設定等を行なう。
【０１１８】
制御部１７ａは、ステップＳ７１の後、メモリ１７ｂから光量補正テーブル（基本補正テーブル）を読み出し、ＬＰＨ制御部１５により各発光素子の電流調整値となる基本補正値を各発光素子に設定させる（ステップＳ７２）。ステップＳ７２で読み出される光量補正テーブルは、第２光量調整処理により算出された光量補正値が格納されている。
また制御部１７ａは、メモリ１７ｂからライン周期、露光時間を読み出し、ＬＰＨ制御部１５によりＬＰＨ３のライン周期、各発光素子の露光時間をＬＰＨ３に設定させる（ステップＳ７３）。
【０１１９】
制御部１７ａは、ＬＰＨ制御部１５により点灯パターンを各組の一端部に配置された発光素子を順次点灯する１（ＯＮ）−３（ＯＦＦ）に設定させる（ステップＳ７４）。制御部１７ａは、受光制御部／駆動制御部１６により受光部１３を原点位置に移動させ、また、制御部１７ａは参照素子番号ｎを０に設定する（ステップＳ７５）。
【０１２０】
制御部１７ａは、参照素子番号ｎに１を加算し（ステップＳ７６）、受光制御部／駆動制御部１６により駆動部１４を駆動させて受光部１３を参照素子番号ｎに対応する位置に移動させ、参照素子番号ｎの発光素子をＬＰＨ制御部１５により点灯させる（ステップＳ７７）。制御部１７ａは、受光部１３が受光した光量値が受光制御部／駆動制御部１６により変換された光量測定値Ｐ（ｎ）を点灯された発光素子の最大光量値Ａとして取得する（ステップＳ７８）。
【０１２１】
制御部１７ａは、参照素子番号ｎに２を加算し（ステップＳ７９）、受光制御部／駆動制御部１６により駆動部１４を駆動させて受光部１３を参照素子番号ｎに対応する位置に移動させる（ステップＳ８０）。制御部１７ａは、受光部１３が受光した光量値が受光制御部／駆動制御部１６により変換された光量測定値Ｐ（ｎ）をステップＳ７７で点灯された発光素子の最小光量値Ｂとして取得する（ステップＳ８１）。
【０１２２】
制御部１７ａは、ステップＳ７８において取得した最大光量値Ａ及びステップＳ８１において取得した最小光量値Ｂに基づいて、参照素子番号ｎ−２〜ｎ＋１と参照素子番号ｎとの共通のＭＴＦ値ＭＴＦ（ｎ−２〜ｎ＋１）を算出する（ステップＳ８２）。ステップＳ８２におけるＭＴＦ値の算出は、下記の式（５）により算出される。
【０１２３】
ＭＴＦ（ｎ−２〜ｎ＋１）＝｛（Ａ−Ｂ）／（Ａ＋Ｂ）｝×１００［％］・・・・（５）
【０１２４】
制御部１７ａは、参照素子番号ｎが最終番目の素子番号であるか否かを判別する（ステップＳ８３）。ステップＳ８３において、参照素子番号ｎが最終番目の素子番号でない場合（ステップＳ８３；ＮＯ）、参照素子番号ｎには２が加算され（ステップＳ８４）、ステップＳ７６に戻る。参照素子番号ｎが最終番目の素子番号である場合（ステップＳ８３；ＹＥＳ）、１（ＯＮ）−３（ＯＦＦ）の点灯パターンの略式処理でのＭＴＦ測定処理は終了する。
【０１２５】
図１１に、ＬＰＨ検査装置１で実行される補正データ書込処理のフローチャートを示す。図１１に示す処理は、制御部１７ａと各部との協働により実行されるものである。
【０１２６】
制御部１７ａは、ＬＰＨ３内の記憶部３１へのデータ書込準備を行なう（ステップＳ９１）。ステップＳ９１では、制御部１７ａは、ＬＰＨ制御部１５を介してＬＰＨ３の記憶部３１との通信接続を確立する。
【０１２７】
制御部１７ａは、黒スジ補正テーブルをメモリ１７ｂから読み出し（ステップＳ９２）、また補正対象データをメモリ１７ｂから読み出し（ステップＳ９３）、ＬＰＨ３の記憶部３１に黒スジ補正テーブル及び補正対象データを書き込み（ステップＳ９４）、本処理を終了する。
【０１２８】
図１２に、ＬＰＨ３の記憶部３１のメモリ構成の例を示す。
図１２に示すように、記憶部３１のメモリ領域は、２つの領域（Ａバンク、Ｂバンク）に分かれている。各バンクは、更に２つの領域に分割されている。
【０１２９】
Ａバンクは、メモリアドレスが「００００ｈ」〜「２ＦＦＦｈ」の分割領域Ａ１と、メモリアドレスが「３００００ｈ」〜「７ＦＦＦｈ」の分割領域Ａ２から成る。分割領域Ａ１には、基本補正テーブルが格納されている。分割領域Ａ２には、基本補正テーブルと調整データが格納される。
【０１３０】
Ｂバンクは、メモリアドレスが「８０００ｈ」〜「ＡＦＦＦｈ」の分割領域Ｂ１と、メモリアドレスが「Ｂ０００ｈ」〜「ＦＦＦＦｈ」の分割領域Ｂ２から成る。分割領域Ｂ１、Ｂ２には、基本補正テーブルと調整データが夫々格納される。
【０１３１】
本実施の形態では、ステップＳ９４にて記憶部３１に記憶される黒スジ補正テーブル及び補正対象データは、Ｂバンクの分割領域Ｂ１又はＢ２の調整データとして記憶される。
【０１３２】
図１３に、Ｂバンクの分割領域Ｂ１に記憶される補正対象データのデータ書式例を示す。図１３に示すデータ書式例は、各補正対象データを８Ｂｙｔｅの書式とし、最大６つの補正対象データ（ＰＰ１〜ＰＰ６）を保存可能とするものである。
【０１３３】
図１３に示すように、ピーク値ＭＰ、ピーク素子番号ＰＰ、開始素子番号ＳＰ、終了素子番号ＥＰは、それぞれ上位アドレスから２アドレスずつ２Ｂｙｔｅの領域が割り振られている。
【０１３４】
ピーク値ＭＰは、メモリアドレス「８００１ｈ」に格納される。ピーク値が検出されていない場合には、「７７ｈ」が格納される。図１３では、ピーク値ＭＰとして２（＝０２ｈ）が格納されている。
【０１３５】
ピーク素子番号ＰＰは、メモリアドレス「８００２ｈ」、「８００３ｈ」に格納される。図１３では、ピーク素子番号ＰＰとして１１８３５（メモリアドレス「８００２ｈ」に２Ｅｈ、メモリアドレス「８００３ｈ」に３Ｂｈ）が格納されている。
【０１３６】
開始素子番号ＳＰは、メモリアドレス「８００４ｈ」、「８００５ｈ」に格納される。図１３では、開始素子番号ＳＰとして１１８０９（メモリアドレス「８００４ｈ」に２Ｅｈ、メモリアドレス「８００５ｈ」に２１ｈ）が格納されている。
【０１３７】
終了素子番号ＥＰは、メモリアドレス「８００６ｈ」、「８００７ｈ」に格納される。図１３では、終了素子番号ＥＰとして１１８５７（メモリアドレス「８００６ｈ」に２Ｅｈ、メモリアドレス「８００７ｈ」に５１ｈ）が格納されている。
【０１３８】
図１４に、本実施の形態におけるＬＰＨ調整処理のフローチャートを示す。
図１４に示す処理は、画像形成装置２にて実行される処理であり、ＣＰＵ２１ａと各部との協働により実行されるものである。
【０１３９】
ＣＰＵ２１ａは、Ｉ／Ｏ２１ｇを介してＬＰＨ３の記憶部３１から基本補正テーブルを読み込み（ステップＳ１０１）、画像メモリ２１ｄの光量補正データメモリ内に格納する。ステップＳ１０１では、例えば、記憶部３１のＡバンクの分割領域Ａ１に格納されている基本補正テーブルが読み出される。
【０１４０】
ＣＰＵ２１ａは、ステップＳ１０１にて読み出した基本補正テーブルを用いた確認画像データを生成し、当該確認画像データを画像処理部２１ｅに出力する（ステップＳ１０２）。画像処理部２１ｅにより確認画像データに基づくプリントデータが生成され、ＬＰＨ制御部２１ｆによりプリントデータに基づいた各種信号がＬＰＨ３に出力される。
【０１４１】
ＬＰＨ３は、ＬＰＨ制御部２１ｆから入力された信号に基づいて駆動し、プリント部４により用紙上に確認画像が形成され出力される（ステップＳ１０３）。
【０１４２】
図１５に、用紙上に形成された確認画像の例を示す。
図１５に示すように、確認画像Ｐは、第１帯状画像Ｐａ１〜Ｐａ１０と、第２帯状画像Ｐｂ１〜Ｐｂ１０と、調整位置画像Ｐｃとからなる。第１帯状画像Ｐａ１〜Ｐａ１０と第２帯状画像Ｐｂ１〜Ｐｂ１０は、スクリーン線及びスクリーン角度が異なる。
図１５に示す確認画像Ｐの例は、黒スジＬが現れた場合の例とする。
【０１４３】
第１帯状画像Ｐａ１〜Ｐａ１０は、副走査方向Ｙにおいて隣接する第１帯状画像とは濃度が異なる。第１帯状画像Ｐａ１〜Ｐａ１０は、副走査方向（用紙搬送方向）Ｙの先端から終端の方向に向かって、各第１帯状画像の濃度が順次１０［％］単位で濃く又は薄くなるように配列されている。また、第１帯状画像Ｐａ１〜Ｐａ１０は、スクリーン線１４１線、スクリーン角度４５度であることが好ましい。
【０１４４】
第２帯状画像Ｐｂ１〜Ｐｂ１０は、副走査方向Ｙにおいて隣接する第２帯状画像とは濃度が異なる。第２帯状画像Ｐｂ１〜Ｐｂ１０は、副走査方向（用紙搬送方向）Ｙの先端から終端の方向に向かって、各第２帯状画像の濃度が順次１０［％］単位で濃く又は薄くなるように配列されている。また、第２帯状画像Ｐｂ１〜Ｐｂ１０は、スクリーン線１７５線、スクリーン角度１５度であることが好ましい。
【０１４５】
調整位置画像Ｐｃは、用紙搬送方向Ｙの両端部（先端部及び終端部）の近傍位置に主走査方向Ｘに渡って延在する帯状の画像と、当該帯状の画像の主走査方向の長さを予め設定された間隔で区切る線とにより形成されてなる。
この帯状の画像を区切る間隔は、ＬＰＨ３が備える主走査方向に配列された発光素子を予め設定された数単位で区切った長さに相当する。例えば、主走査方向に発光素子が１５３６０画素配列されている場合であって３８４素子毎に区切る場合には、当該帯状の画像を４０個の区間に区切る線が形成される。
従って、調整位置画像Ｐｃは、第１帯状画像及び第２帯状画像に現れる黒スジの主走査方向における位置を判別するめやすとなる。
【０１４６】
出力された確認画像は、本処理を画像形成装置２に実行させている作業員により目視され、当該作業員により確認画像上に黒スジが現れているか否かが判別される（ステップＳ１０４）。確認画像上に黒スジが現れていないと判別された場合（ステップＳ１０４；ＮＯ）、当該判別結果が操作表示部２３により入力され、ＬＰＨ調整処理が終了される。
【０１４７】
確認画像上に黒スジが現れていると判別された場合（ステップＳ１０４；ＹＥＳ）、黒スジの出現がプロセスエンジン起因ではないか否かが作業員により判別される（ステップＳ１０５）。ステップＳ１０５では、作業員は、黒スジの形状によりプロセスエンジン起因であるか否かを判別する。プロセスエンジン起因ではない黒スジは、即ち、ＬＰＨ３のレンズアレイに起因して現れた黒スジは、黒スジの幅が約１ｍｍ前後（結合レンズの直径の約２倍の長さ）であることが知られている。また、プロセスエンジン起因で現れた黒スジは、レンズアレイに起因する黒スジよりも幅が広く、装置構成部品に応じたスジとなる。
【０１４８】
黒スジの出現がプロセスエンジン起因である場合（ステップＳ１０５；ＮＯ）、当該判別結果が操作表示部２３により入力され、プロセスエンジン起因の解析処理が実行され（ステップＳ１０６）、ＬＰＨ調整処理が終了される。このとき、ＬＰＨ側の黒スジ情報と画像とを比較して、プロセスエンジン起因との原因分離を確認すると良い。
【０１４９】
黒スジの出現がプロセスエンジン起因でない場合（ステップＳ１０５；ＮＯ）、当該判別結果が操作表示部により入力される。ＣＰＵ２１ａは、黒スジの出現がプロセス起因でない判別結果が入力されると、ＬＰＨ３の記憶部３１に記憶されている補正対象データを読み込み（ステップＳ１０７）、画像メモリ２１ｄの光量補正データメモリ内に格納する。ステップＳ１０７では、例えば、記憶部３１のＢバンクの分割領域Ｂ１に格納されている補正対象データが読み出される。
【０１５０】
ＣＰＵ２１ａは、読み込んだ補正対象データのピーク値ＭＰが全て「７７ｈ」であるか否かを判別する（ステップＳ１０８）。補正対象データのピーク値ＭＰが全て「７７ｈ」である場合（ステップＳ１０８；ＹＥＳ）、ＣＰＵ２１ａは、補正対象データが結合レンズの光学特性を補正するためのデータがない旨を示す調整不要情報を示していると判別し、ＬＰＨ調整処理は終了される。
【０１５１】
ステップＳ１０８；ＹＥＳの場合、補正対象データの表示及び調整指示情報の受け付けを行わず、基本補正テーブルに基づく画像を形成することができる。
【０１５２】
補正対象データのピーク値ＭＰが全て「７７ｈ」ではない場合（ステップＳ１０８；ＮＯ）、ＣＰＵ２１ａは、調整メニュー画面を操作表示部２３に表示させる（ステップＳ１０９）。
【０１５３】
図１６に、調整メニュー画面の例を示す。
図１６に示すように、調整メニュー画面Ｇには、調整位置画像領域Ｅ１、調整値設定領域Ｅ２１〜Ｅ２６が設けられている。調整メニュー画面Ｇは、補正対象データに対する調整指示情報を受け付ける。
【０１５４】
調整位置画像領域Ｅ１には、確認画像に形成された調整位置画像Ｐｃと同様の形態の調整位置画像が表示されており、補正対象データのピーク素子番号ＰＰが含まれる調整位置画像の区間の区間番号が調整位置画像上に表示されている。
【０１５５】
調整値設定領域Ｅ２１には、データ番号表示領域Ｅ２１ａ、区間番号表示領域Ｅ２１ｂ、ピーク値表示領域Ｅ２１ｃ、調整値表示領域Ｅ２１ｄ、調整要否設定領域Ｅ２１ｅが設けられている。調整値設定領域Ｅ２２〜Ｅ２６は、調整値設定領域Ｅ２１と同様の構成であるため、説明は省略する。
【０１５６】
データ番号表示領域Ｅ２１ａには、補正対象データの識別番号が示される。
この補正対象データの識別番号は、補正対象データが記憶部３１に記憶された際に付されるものであり、例えば、図１３のＰＰ１〜ＰＰ６である。
区間番号表示領域Ｅ２１ｂには、補正対象データの補正対象区間が含まれる補正対象位置画像の区間の区間番号が示される。
【０１５７】
ピーク値表示領域Ｅ２１ｃには、補正対象データのピーク値ＭＰが示される。
調整値表示領域Ｅ２１ｄには、ピーク値ＭＰをピーク値ＭＰ以下に変更する調整値が示される。
調整要否設定領域Ｅ２１ｅには、ＹＥＳボタンＢ１１とＮＯボタンＢ１２が設けられている。ＹＥＳボタンＢ１１が押下された場合には補正対象データを用いた基本補正テーブルの光量補正値の調整を行う指示が入力され、テンキーにより入力された値が調整値として設定される。ＮＯボタンＢ１２が押下された場合には、補正対象データを用いた基本補正テーブルの光量補正値の調整を行わない指示が入力される。
【０１５８】
従って、調整メニュー画面Ｇにより、ＹＥＳボタンＢ１１又はＮＯボタンＢ１２の押下による基本補正テーブルの光量補正値の調整の要否の指示と、テンキーにより入力された調整値とが、調整指示情報として受け付けられる。
【０１５９】
ＣＰＵ２１ａは、調整メニュー画面Ｇにより入力された各補正対象データの調整値に応じて、光量補正値を補正する補正量の設定を行う（ステップＳ１１０）。補正量の設定について、図１７を参照して説明する。
【０１６０】
図１７に、各発光素子に対する光量操作量のグラフを示す。
図１７に示すグラフは、横軸に素子番号、縦軸に光量操作量［％］と示す。
各発光素子の光量操作量は、第４演算値ＭＴＦｔ（ｎ）に相当する。
第１曲線Ｌ１は、差分値ＭＴＦｄ（ｎ）をグラフ化したものであり、第２曲線Ｌ２は、第４演算値ＭＴＦｔ（ｎ）をグラフ化したものである。
図１７に示すグラフによれば、ピーク値ＭＰが２、ピーク素子番号ＰＰが１１８３５、開始素子番号ＳＰが１１８０９、終了素子番号ＥＰが１１８５７の補正対象データが検出されることとなる。
【０１６１】
まず、光量操作量が１の区間を設定する。
光量操作量が１の区間は、補正対象区間である。図１７では、光量操作量が１の区間は、１１８０９〜１１８５７となる。
【０１６２】
次に、光量操作量が２の区間を設定する。
光量操作量が２の区間とは、ピーク値ＭＰの区間である。
本実施の形態において、ＬＰＨ３の解像度を１２００ｄｐｉとした場合、結合レンズの直径は約２５〜２７素子が直線状に配列された長さに相当する。従って、結合レンズの半径は約１２素子が直線状に配列された長さに相当する。まず、ピーク素子番号ＰＰを中心として、±１２素子分の範囲（結合レンズの直径に相当）を、ピーク値ＭＰの仮の区間とする。図１７では、ピーク値ＭＰの仮の区間は、１１８２３〜１１８４７となる。
ピーク値ＭＰの区間において、最も素子番号が小さい素子番号をピーク区間開始番号ＭＰ１Ｓと称し、最も素子番号が大きい素子番号をピーク区間終了番号ＭＰ１Ｅと称す。
【０１６３】
黒スジが現れていることから、結合レンズが傾いていると推測される。結合レンズが傾いている場合、結合レンズの断面において、中心軸から結合レンズの周面までの距離が不均一となる。そのため、ピーク素子番号ＰＰから開始素子番号ＳＰまでの素子数（第１素子数Ａ）と、ピーク素子番号ＰＰから終了素子番号ＥＰまでの素子数（第２素子数Ｂ）とが一致しない。そこで、第１素子数Ａと第２素子数Ｂとの差（第３素子数Ｃ）を算出する。この第３素子数Ｃが結合レンズの傾きに相当する。
【０１６４】
第１素子数Ａが第２素子数Ｂよりも大きい場合、ピーク素子番号ＰＰから開始素子番号ＳＰまでの距離がピーク素子番号ＰＰから終了素子番号ＥＰまでの距離よりも長く、結合レンズが開始素子番号ＳＰ側に傾いていると推測される。従って、ピーク値の仮の区間のピーク区間開始番号から第３素子数Ｃを減算した素子番号をピーク区間開始番号ＭＰ１Ｓとする。
図１７では、ピーク値ＭＰの仮の区間のピーク区間開始番号（１１８２３）から第３素子数Ｃ（４）を減算した１１８１９がピーク区間開始番号ＭＰ１Ｓとなる。従って、ピーク値ＭＰの区間は、１１８１９〜１１８４７となる。
【０１６５】
第１素子数Ａが第２素子数Ｂよりも小さい場合、ピーク素子番号ＰＰから開始素子番号ＳＰまでの距離がピーク素子番号ＰＰから終了素子番号ＥＰまでの距離よりも短く、結合レンズが終了素子番号ＥＰ側に傾いていると推測される。従って、ピーク値の仮の区間のピーク区間終了番号から第３素子数Ｃを加算した素子番号をピーク区間終了番号ＭＰ１Ｅとする。
例えば、ピーク区間終了番号（１１８４７）から第３素子数Ｃ（４）を加算した１１８５１がピーク区間終了番号ＭＰ１Ｅとなる。この場合には、ピーク値ＭＰの区間は、１１８２３〜１１８５１となる。
【０１６６】
各光量操作量の区間が決定された後、調整量に応じて各補正対象区間の発光素子に対する光量補正値の補正量の設定が行われる。
【０１６７】
図１８に、調整量が０の場合の補正量のイメージ図を示す。
調整量が０である場合、光量操作量の最大値はピーク値ＭＰ（２）となる。
光量操作量の最大値の区間、即ち、ピーク区間開始番号ＭＰ１Ｓ〜ピーク区間終了番号ＭＰ１Ｅまでの区間の発光素子の光量補正値に対する補正量は、ピーク値ＭＰに応じて−２［％］に設定される。そして、ピーク区間開始番号ＭＰ１Ｓ〜ピーク区間終了番号ＭＰ１Ｅまでの区間の発光素子の光量補正値は、基本補正テーブルに格納されている当該区間の光量補正値を−２％減じた値に補正される。
【０１６８】
また、光量操作量の最大値の次に大きい光量操作量の区間、即ち、開始素子番号ＳＰ〜ピーク区間開始番号ＭＰ１Ｓ、ピーク区間終了番号ＭＰ１Ｅ〜終了素子番号ＥＰまでの区間の発光素子の光量補正値に対する補正量は、当該区間の光量操作量に応じて−１［％］に設定される。そして、開始素子番号ＳＰ〜ピーク区間開始番号ＭＰ１Ｓ、ピーク区間終了番号ＭＰ１Ｅ〜終了素子番号ＥＰまでの区間の発光素子の光量補正値は、基本補正テーブルに格納されている当該区間の光量補正値を−１％減じた値に補正される。
【０１６９】
図１９に、調整量が−１の場合の補正量のイメージ図を示す。
調整量が−１である場合、光量操作量の最大値はピーク値ＭＰ（２）から−１減算した値（１）となる。
光量操作量の最大値の区間、即ち、開始素子番号ＳＰ〜終了素子番号ＥＰまでの区間の発光素子の光量補正値に対する補正量は、調整済みのピーク値ＭＰに応じて−１［％］に設定される。そして、開始素子番号ＳＰ〜終了素子番号ＥＰまでの区間の発光素子の光量補正値は、基本補正テーブルに格納されている当該区間の光量補正値を−１％減じた値に補正される。
【０１７０】
なお、図１９に示すようなピーク値ＭＰが２であるときに調整量が−１が設定された場合には、ピーク値ＭＰの区間（ピーク区間開始番号ＭＰ１Ｓ〜ピーク区間終了番号ＭＰ１Ｅまでの区間）の補正量は、ピーク値ＭＰに応じた補正量を適用しない。
【０１７１】
このように、ＣＰＵ２１ａは、補正対象データ（ピーク値ＭＰ、ピーク素子番号ＰＰ、開始素子番号ＳＰ、終了素子番号ＥＰ）に基づいて、補正対象区間（ＳＰ〜ＥＰ）をピーク値ＭＰに応じて複数の区間（ピーク値ＭＰ＝２の区間、ピーク値ＭＰ＝１の区間）に分け、当該分けられた区間毎に、当該区間に含まれる発光素子の第１補正データを補正する補正量（−２［％］、−１［％］）を設定し、調整値に応じて当該分けられた区間毎の補正量を変更する。
【０１７２】
ＣＰＵ２１ａは、補正量の設定後（ステップＳ１１０後）、調整メニュー画面Ｇにおいて調整要否設定領域のＹＥＳボタンＢ１１が押下された補正対象データの補正対象区間の発光素子の光量補正値を設定された補正量に基づいて補正された光量補正値とし、他の区間を基本補正テーブルの光量補正値として、確認画像データを生成し、当該確認画像データを画像処理部２１ｅに出力する。画像処理部２１ｅにより確認画像データに基づくプリントデータが生成され、ＬＰＨ制御部２１ｆによりプリントデータに基づいた各種信号がＬＰＨ３に出力される。そして、ＬＰＨ３は、ＬＰＨ制御部２１ｆから入力された信号に基づいて駆動し、プリント部４により用紙上に確認画像が形成され出力される（ステップＳ１１１）。
【０１７３】
出力された確認画像は、作業員により目視され、当該作業員により確認画像上に黒スジが現れているか否かが判別される（ステップＳ１１２）。確認画像上に黒スジが現れていると判別された場合（ステップＳ１１２；ＮＯ）、当該判別結果が操作表示部２３により入力され、ＣＰＵ２１ａはステップＳ１０９の処理に戻る。
【０１７４】
確認画像上に黒スジが現れていないと判別された場合（ステップＳ１１２；ＹＥＳ）、当該判別結果が操作表示部２３により入力され、ＣＰＵ２１ａはＬＰＨ調整処理を終了する。
【０１７５】
以上のように本実施の形態によれば、所定の結合レンズの光学特性を補正するための補正対象データに基づいて、発光素子の光量を補正する基本補正テーブルの光量補正値を補正することができるため、ＬＰＨを構成する発光素子の部分的な光量調整が可能となり、画質の向上を図ることができる。
【０１７６】
また、補正対象データに基づいて補正された基本補正テーブルの光量補正値を用いて形成された確認画像を用紙に形成して出力することができ、作業員は、出力された用紙上に形成された確認画像により利用者が望む画質であるかの画質確認が行なえる。
【０１７７】
更に、ピーク値ＭＰ、ピーク素子番号ＰＰ、開始素子番号ＳＰ及び終了素子番号ＥＰに基づいて、基本補正テーブルの補正対象区間の光量補正値を補正することができる。
【０１７８】
また、補正対象データは、調整メニュー画面Ｇにより受け付けられた調整指示情報（基本補正テーブルの光量補正値の調整の要否の指示、調整値）に基づいて調整することができるため、利用者の望む画質の画像を実現することができる。
【０１７９】
以上の説明では、本発明に係るプログラムのコンピュータ読み取り可能な媒体として不揮発メモリ２１ｂを使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ(搬送波)も本発明に適用される。
【０１８０】
また、本発明は、上記実施の形態の内容に限定されるものではなく、本発明の主旨を逸脱しない範囲で適宜変更可能である。
【図面の簡単な説明】
【０１８１】
【図１】ＬＰＨ検査装置の構成図である。
【図２】「俵積み」した結像レンズの配置例と発光素子との関係を示す図である。
【図３】画像形成装置の制御ブロック図である。
【図４】ＬＰＨ検査処理のフローチャートである。
【図５】ＬＰＨ組み立て処理のフローチャートである。
【図６】ＬＰＨ検査装置で実行されるＬＰＨ部組検査処理のフローチャートである。
【図７】第１光量調整処理のフローチャートである。
【図８】第２光量調整処理のフローチャートである。
【図９】第３光量調整処理のフローチャートである。
【図１０】１（ＯＮ）−３（ＯＦＦ）の点灯パターンの略式処理でのＭＴＦ測定処理のフローチャートである。
【図１１】ＬＰＨ検査装置で実行される補正データ書込処理のフローチャートである。
【図１２】ＬＰＨの記憶部のメモリ構成の例を示す図である。
【図１３】Ｂバンクの分割領域Ｂ１に記憶される補正対象データのデータ書式例を示す図である。
【図１４】ＬＰＨ調整処理のフローチャートである。
【図１５】用紙上に形成された確認画像の例を示す図である。
【図１６】調整メニュー画面の例を示す図である。
【図１７】各発光素子に対する光量操作量のグラフである。
【図１８】調整量が０の場合の補正量のイメージ図である。
【図１９】調整量が−１の場合の補正量のイメージ図である。
【符号の説明】
【０１８２】
１  ＬＰＨ検査装置
２  画像形成装置
３  ＬＰＨ
１１  暗箱
１２  ＬＰＨ固定部材
１３  受光部
１４  駆動部
１５  ＬＰＨ制御部
１６  受光制御部／駆動制御部
１７  制御装置
１７ａ  制御部
１７ｂ  メモリ
１７ｃ  表示部
１７ｄ  操作部
２１  本体制御部
２１ａ  ＣＰＵ
２１ｂ  不揮発メモリ
２１ｃ  ＲＡＭ
２１ｄ  画像メモリ
２１ｅ  画像処理部
２１ｆ  ＬＰＨ制御部
２１ｇ  Ｉ／Ｏ
２２  機構制御部
２３  操作表示部
２４  外部Ｉ／Ｆ
３１  記憶部
Ｂ１１  ＹＥＳボタン
Ｂ１２  ＮＯボタン
Ｇ  調整メニュー画面
Ｅ１  調整位置画像領域
Ｅ２１〜Ｅ２６  調整値設定領域
Ｅ２１ａ  データ番号表示領域
Ｅ２１ｂ  区間番号表示領域
Ｅ２１ｃ  ピーク値表示領域
Ｅ２１ｄ  調整値表示領域
Ｅ２１ｅ  調整要否設定領域
Ｌ  黒スジ
Ｌ１  第１曲線
Ｌ２  第２曲線
Ｐ  確認画像
Ｐａ１〜Ｐａ１０  帯状画像
Ｐｂ１〜Ｐｂ１０  帯状画像
Ｐｃ  調整位置画像
ＥＰ  終了素子番号
ＭＰ  ピーク値
ＭＰ１Ｅ  ピーク区間終了番号
ＭＰ１Ｓ  ピーク区間開始番号
ＰＰ  ピーク素子番号
ＳＰ  開始素子番号
Ｘ  主走査方向
Ｙ  副走査方向（用紙搬送方向）
【図１】
2010125613.tif 000003
【図２】
2010125613.tif 000004
【図３】
2010125613.tif 000005
【図４】
2010125613.tif 000006
【図５】
2010125613.tif 000007
【図６】
2010125613.tif 000008
【図７】
2010125613.tif 000009
【図８】
2010125613.tif 000010
【図９】
2010125613.tif 000011
【図１０】
2010125613.tif 000012
【図１１】
2010125613.tif 000013
【図１２】
2010125613.tif 000014
【図１３】
2010125613.tif 000015
【図１４】
2010125613.tif 000016
【図１５】
2010125613.tif 000017
【図１６】
2010125613.tif 000018
【図１７】
2010125613.tif 000019
【図１８】
2010125613.tif 000020
【図１９】
2010125613.tif 000021